【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
身体内に埋め込むためのアンカーであって、
中空部材を通して送達されるように適合されており、組織表面に押し付けて配置するためのアンカー本体、および
締め付け力をかけたときに可撓性部材に対して第一の方向で該アンカー本体を通過するように適合されたロック機構を具備し、
該ロック機構は、アンカー本体が第一の方向と反対の第二の方向に強制的に動かされたとき、ロック力を該可撓性部材に与えるようにさらに適合されており、該ロック力が該締め付け力より大きいアンカー。
【請求項２】
前記アンカー本体がＴアンカーを備える請求項１に記載のアンカー。
【請求項３】
前記Ｔアンカーが、円形、長方形、および正方形からなる群から選択される形状の断面を有する請求項２に記載のアンカー。
【請求項４】
前記アンカー本体がバスケットアンカーを備える請求項１に記載のアンカー。
【請求項５】
前記バスケットアンカーが、前記中空部材内の送達形態から該中空部材外の拡張形態に再構成される請求項４に記載のアンカー。
【請求項６】
前記中空部材が、管状部材、カテーテル、針、およびトロカールからなる群から選択される請求項１に記載のアンカー。
【請求項７】
前記可撓性部材が縫合糸を備える請求項１に記載のアンカー。
【請求項８】
前記縫合糸が該縫合糸の長さに沿った複数の結び目または突出を有する請求項７に記載のアンカー。
【請求項９】
前記結び目または突出が、前記長さに沿って一定間隔で形成される請求項８に記載のアンカー。
【請求項１０】
前記結び目または突出が、前記長さに沿って間欠的に形成される請求項８に記載のアンカー。
【請求項１１】
前記縫合糸がモノフィラメント、マルチフィラメント、弾性材料、またはエラストマー材料を含む請求項７に記載のアンカー。
【請求項１２】
前記長さの縫合糸が金属材料を含む請求項７に記載のアンカー。
【請求項１３】
前記金属材料がニチノール、ステンレス鋼、およびチタンからなる群から選択される請求項１２に記載のアンカー。
【請求項１４】
前記縫合糸の少なくとも一部が、該縫合糸より高い摩擦係数を持つ材料で覆われる請求項７に記載のアンカー。
【請求項１５】
前記材料が金属コートまたはスリーブを含む請求項１４に記載のアンカー。
【請求項１６】
前記アンカー本体は、可撓性部材を通過させるためのテーパー開口部を画定する請求項１に記載のアンカー。
【請求項１７】
前記ロック機構が前記アンカー本体に画定された開口部に近接する少なくとも１つの付勢レバーを含む請求項１に記載のアンカー。
【請求項１８】
前記ロック機構が前記アンカー本体内部に収容される請求項１に記載のアンカー。
【請求項１９】
前記ロック機構が前記可撓性部材と直列である請求項１に記載のアンカー。
【請求項２０】
前記ロック機構が前記可撓性部材に前記ロック力を自動的に付加するように適合された請求項１に記載のアンカー。
【請求項２１】
前記ロック機構が、前記アンカー本体を通る前記可撓性部材の一部を締め付けるように付勢された少なくとも１つのタブを有する請求項１に記載のアンカー。
【請求項２２】
前記ロック機構は、前記可撓性部材が通るための腔を画定するテーパー部材をさらに含み、該テーパー部材が前記タブに対して配置されたとき、該可撓性部材を解放するために該テーパー部材が前記アンカー本体へ進行するように適合された請求項２１に記載のアンカー。
【請求項２３】
前記ロック機構が、前記アンカー本体を通して画定された腔内に突出し、該腔の表面に対して可撓性部材を締め付けるように付勢された少なくとも１つのアームを有する請求項１に記載のアンカー。
【請求項２４】
前記アームが、前記アンカー本体が遠位に進行したときに前記可撓性部材を解放するようにさらに適合された請求項２３に記載のアンカー。
【請求項２５】
前記ロック機構が、前記アンカー本体の近位への角度で突出するように付勢された少なくとも１つのアームを備える請求項１に記載のアンカー。
【請求項２６】
前記アームが、前記可撓性部材が通過するテーパー状の開口部を画定する請求項２５に記載のアンカー。
【請求項２７】
前記アームが、前記アンカー本体と一体化された請求項２５に記載のアンカー。
【請求項２８】
前記ロック機構が、前記可撓性部材が通り抜けるための屈曲経路を画定するスリーブを備える請求項１に記載のアンカー。
【請求項２９】
前記スリーブが、前記アンカー本体の近位に配置される請求項２８に記載のアンカー。
【請求項３０】
前記スリーブが、前記アンカー本体と一体化された請求項２８に記載のアンカー。
【請求項３１】
前記屈曲経路が、前記スリーブと一体化した少なくとも１つの妨害物によって画定され、該妨害物が該スリーブの腔内に突出するようになっている請求項２８に記載のアンカー。
【請求項３２】
前記少なくとも１つの妨害物が前記腔内に部分的に突出するように適合されたレバーを備える請求項３１に記載のアンカー。
【請求項３３】
前記ロック機構が、クリンプされた形状に再構成されるように適合されたスリーブを備える請求項１に記載のアンカー。
【請求項３４】
アンカーを組織に対して締め付けるためのシステムであって、
アンカー本体を組織に近い中空部材から押し出すための手段、
可撓性部材に沿って該アンカー本体を遠位に押して、締め付けの対象となる組織の表面に接触させるための手段、および
該アンカー本体を縫合糸の上で遠位に通過させるが該アンカー本体が該可撓性部材の上で近位に移動しないように適合された、該アンカー本体をロックするための自己ロック機構、
を具備するシステム。
【請求項３５】
前記アンカー本体を押し出すための手段が、前記中空部材の遠位末端に画定された開口部から該アンカー本体を押し出すための手段を含む請求項３４に記載のシステム。
【請求項３６】
前記アンカー本体を遠位に押すための手段が、前記中空部材を介して該アンカー本体を押すための手段を含む請求項３４に記載のシステム。
【請求項３７】
前記アンカー本体を遠位に押すための手段が、細長い押圧ロッドを介して該アンカー本体を押すための手段を含む請求項３４に記載のシステム。
【請求項３８】
前記アンカー本体を遠位に押すための手段が、縫合糸に沿って該アンカー本体を押すための手段を含む請求項３４に記載のシステム。
【請求項３９】
前記自己ロック機構が、前記アンカー本体に画定された開口部の近傍の少なくとも１つの付勢レバーを介して該アンカー本体が前記可撓性部材の上で近位に移動しないようにするための手段を含む請求項３４に記載のシステム。
【請求項４０】
前記自己ロック機構が、コレットを前記アンカー本体内に進行させて、該コレットの遠位末端で複数のロックアームを前記可撓性部材に締め付けるための手段を含む請求項３４に記載のシステム。
【請求項４１】
前記自己ロック機構が、前記可撓性部材を前記アンカー本体の一部に締め付けるための少なくとも１つの付勢タブを含む請求項３４に記載のシステム。
【請求項４２】
前記自己ロック機構が、前記可撓性部材を画定された開口部内に締め付けるための少なくとも１つの付勢アームを含む請求項３４に記載のシステム。
【請求項４３】
前記自己ロック機構が、前記アンカー本体の近位方向への角度で突出するように付勢された少なくとも１つのアームを含み、該アームは、画定された開口部内で前記可撓性部材を締め付けるためのものである、請求項３４に記載のシステム。
【請求項４４】
前記自己ロック機構が、可撓性部材を、アンカー本体の近位の屈曲経路に通過させるための手段を含む請求項３４に記載のシステム。
【請求項４５】
身体内に埋め込むためのアンカーであって、
中空部材を通して送達されるように適合されており、組織表面に押し付けて配置するためのアンカー本体、および、
可撓性部材が通過する腔を画定するロック機構を具備し、
該ロック機構が、該アンカー本体の近位に配置され、該可撓性部材に接触するために腔内に突出するように付勢された少なくとも１つのアームを有し、該可撓性部材が該腔を通って該アンカー本体に対して一方向に進行可能となっているアンカー。
【請求項４６】
アンカーを組織に対して締め付けるためのシステムであって、
アンカー本体を該組織の近くで中空部材から押し出すための手段、
可撓性部材に沿って該アンカー本体を遠位に押して、締め付けの対象となる組織の表面に接触させるための手段、および
該アンカー本体をロックするためのロック機構であって、該ロック機構は、該ロック機構によって画定された腔内に突出するように付勢された少なくとも１つのアームを有し、該少なくとも１つのアームは、該可撓性部材と接触し、且つ該可撓性部材に沿って該アンカー本体が近位へ移動しないようにする、ロック機構、
を具備するシステム。
【請求項４７】
前記アンカー本体を押し出すための手段が、前記中空部材の遠位末端に画定された開口部から該アンカー本体を押し出すための手段を含む請求項４６に記載のシステム。
【請求項４８】
前記アンカー本体を遠位に押すための手段が、前記中空部材を介して該アンカー本体を押すための手段を含む請求項４６に記載のシステム。
【請求項４９】
前記アンカー本体を遠位に押すための手段が、細長い押圧ロッドを介して該アンカー本体を押すための手段を含む請求項４６に記載のシステム。
【請求項５０】
前記アンカー本体を遠位に押すための手段が、縫合糸に沿って該アンカー本体を押すための手段を含む請求項４６に記載のシステム。
【請求項５１】
前記ロック機構が、前記アンカー本体に対して角度をもって突出するように付勢された少なくとも１つのアームを含み、該アームは、画定された開口部内で前記可撓性部材を締め付けるためのものである、請求項４６に記載のシステム。
【請求項５２】
前記ロック機構が、前記可撓性部材を複数の追加のアームに通すための手段を含み、各アームが前記アンカー本体に対して角度をもって突出するように付勢され、各アームが接近して配置される請求項４６に記載のシステム。
【請求項５３】
身体内に埋め込むためのアンカーシステムであって、
送達デバイスを通して送達されるように適合されており、組織表面に押し付けて配置するためのアンカー本体、および、
可撓性部材が通過する腔を画定するロック機構を具備し、
該ロック機構が、該可撓性部材と接触するように構成され腔内に配置された妨害部材を有し、該可撓性部材が該腔を通って該アンカー本体に対して一方向に進行可能となっているアンカーシステム。
【請求項５４】
前記アンカー本体がバスケットアンカーを備える請求項５３に記載のアンカーシステム。
【請求項５５】
前記アンカー本体が、前記送達デバイス内での送達形態から該送達デバイス外での拡張形態に再構成される請求項５３に記載のアンカーシステム。
【請求項５６】
前記送達デバイスが、内視鏡、中空部材、管状部材、カテーテル、ニードル、およびトロカールからなる群から選択される請求項５３に記載のアンカーシステム。
【請求項５７】
前記可撓性部材が縫合糸を備える請求項５３に記載のアンカーシステム。
【請求項５８】
前記ロック機構が前記アンカー本体に近接して配置される請求項５３に記載のアンカーシステム。
【請求項５９】
前記腔は、前記アンカー本体が前記可撓性部材に対して遠位に進行するときに前記妨害部材に該可撓性部材が通るように構成された形状を画定する請求項５３に記載のアンカーシステム。
【請求項６０】
前記腔は、前記アンカー本体が前記可撓性部材に対して近位に移動するときに前記妨害部材を通過して該可撓性部材を通らないように構成された形状を画定する請求項５３に記載のアンカーシステム。
【請求項６１】
前記ロック機構は、前記アンカー本体が前記可撓性部材に対して近位に移動するとき、前記妨害部材と前記腔の壁との間で該可撓性部材を摩擦ロックまたは締まりばめするように構成される請求項６０に記載のアンカーシステム。
【請求項６２】
前記妨害部材がボールまたは球を備える請求項５３に記載のアンカーシステム。
【請求項６３】
前記妨害部材が前記腔の表面に前記可撓性部材を締め付けるように適合された請求項５３に記載のアンカーシステム。
【請求項６４】
組織を固定するためのシステムであって、
アンカー本体を該組織の近くで送達デバイスから押し出すための手段、
可撓性部材に沿って該アンカー本体を遠位に押して、固定される対象の組織の表面に接触させるための手段、および
該アンカー本体をロックするためのロック機構であって、該ロック機構は、該ロック機構によって画定された腔内に配置された妨害部材を有し、これによって、該妨害部材が該可撓性部材に接触し、該可撓性部材に沿った該アンカー本体の近位への移動が阻止される、ロック機構、
を含むシステム。
【請求項６５】
アンカー本体を押し出すための手段が、前記送達デバイスの遠位末端に画定された開口部から該アンカー本体を押し出すための手段を含む請求項６４に記載のシステム。
【請求項６６】
前記アンカー本体を遠位に押すための手段が、前記送達デバイスまたは細長い押圧ロッドを介して該アンカー本体を押すための手段を含む請求項６４に記載のシステム。
【請求項６７】
前記アンカー本体を可撓性部材に沿って遠位に押すための手段が、縫合糸に沿って該アンカー本体を押すための手段を含む請求項６４に記載のシステム。
【請求項６８】
前記アンカー本体を遠位に押すための手段が、該アンカー本体が遠位に押されたときに前記妨害部材に前記可撓性部材が容易に通るように、該妨害部材を前記ロック機構の腔内に配置するための手段をさらに含む請求項６４に記載のシステム。
【請求項６９】
前記自己ロック機構が、前記アンカー本体の近位の移動を阻害するように、前記妨害部材に前記可撓性部材が通らないようにするための手段をさらに含む請求項６４に記載のシステム。
【請求項７０】
前記妨害部材に前記可撓性部材が通らないようにするための手段は、前記アンカー本体が該可撓性部材に沿って近位に移動するとき、該妨害部材と前記ロック機構の腔の壁との間で該可撓性部材を摩擦ロックまたは締まりばめするための手段を含む請求項６９に記載のシステム。